(57)【要約】【課題】フック部材とループ部材とを備える着用物品の止着構造において、フック部材のめくれが抑制され、かつ、フック部材をループ部材から離脱するときベースシートが引裂かれることが防止された止着構造を提供する。【解決手段】フック縁部１７とループ縁部１８とが着脱可能に止着される着用物品の止着構造において、フック縁部１７は、着用物品の側縁から延び出す第１シート部１１と、第１シート部１１の外端縁１３に連結され、側縁に向けて延び出す第２シート部１２と、外端縁１３に離間して延びて第１・第２シート部を接合する接合域１４と、接合域、第１・第２シート部および外端縁で囲まれる非接合域１５とを備え、フック部材７は、外端縁１３に並行して延びる第１縁１６および第２縁１９を有し、第１縁１６が接合域１４上に位置し、第２縁１９が非接合域１５上に位置するようにしてフック縁部１７に固着されていることを特徴とする止着構造とした。【選択図】図２
2008012114.tif 000002
【特許請求の範囲】
【請求項１】
前後胴周り域のいずれか一方の側縁に沿って設けられてフック部材が固着されるフック縁部と、前記前後胴周り域のいずれか他方の側縁に沿って設けられてループ部材を有するループ縁部とを備え、前記フック縁部と前記ループ縁部とが着脱可能に止着される着用物品の止着構造において、
前記フック縁部は、前記着用物品の前記側縁から延び出す第１シート部と、
前記側縁に対向して延びる前記第１シート部の外端縁に連結され、前記側縁に向けて延び出す第２シート部と、
前記外端縁に並行かつ離間して延びて前記第１・第２シート部を接合する接合域と、
前記接合域、前記第１・第２シート部および前記外端縁で囲まれる非接合域と、を備え、
前記フック部材は、前記外端縁に並行して延びる第１縁および第２縁を有し、前記第１縁が前記接合域上に位置し、前記第２縁が前記非接合域上に位置するようにして、前記第１シート部および前記第２シート部のいずれか一方に固着されていることを特徴とする着用物品の止着構造。
【請求項２】
前記第１シート部および前記第２シート部が一体のシート部材で構成され、前記シート部材が前記外端縁に沿って折り返されて前記フック縁部が形成されている請求項１に記載の着用物品の止着構造。
【請求項３】
前記第１シート部および前記第２シート部の少なくともいずれか一方の前記非接合域部分に、前記外端縁と平行な方向成分を含んで延びる少なくとも１本のスリットが形成されている請求項１または請求項２に記載の着用物品の止着構造。
【請求項４】
前記フック部材は、熱可塑性樹脂からなるベースシートと、前記ベースシート表面から起立する多数のフックとからなり、
前記第１・第２シート部は、熱可塑性樹脂からなる繊維を含むシート状の不織布で構成され、
前記ベースシートおよび前記不織布は、いずれも一方向における引裂き強度が前記一方向に直交する方向における引裂き強度より低く、
前記ベースシートの引裂き強度が低い前記一方向と、前記不織布の引裂き強度が低い前記一方向とが一致しないようにして、前記フック部材が前記第１・第２シート部のいずれか一方に固着されている請求項１から請求項３のいずれか１項に記載の着用物品の止着構造。
【請求項５】
前記ベースシートに補強シートが接合されている請求項４に記載の着用物品の止着構造。
【発明の詳細な説明】
【技術分野】
【０００１】
本発明は、着用物品の止着構造に関し、特におむつの止着構造に関する。
【背景技術】
【０００２】
着用物品をフック部材とループ部材からなるメカニカルファスナで止着する止着構造が広く用いられ、例えば特許文献１には、両脇をメカニカルファスナで止着するおむつが開示されている。このおむつでは、フック部材１０７が着用者の肌に当たると肌を刺激して違和感を生じる原因になるため、図５（ａ）に示すように、フック部材１０７を着用物品１１０の外側に向ける止着構造が用いられている。
【０００３】
このようにフック部材１０７を外側に向けた止着構造の場合、着用者が体をひねったとき等に、フック部材１０７が取り付けられている取付シート１２０の自由端１１３にフック部材１０７を離脱させる方向に力Ｆが加わると、図５(ｂ)のようにフック部材１０７がめくれて着用者の肌を刺激するおそれがある。
【０００４】
特許文献２には、図５（ｃ）のように、フック部材１０７がベースシート１０５を介して取付シート１２０に接合され、ベースシート１０５がその裏面におむつに対する接合域１１４と非接合域１１５とを有し、その非接合域１１５は、フック部材１０７の自由端１１３に偏倚して形成されている止着構造が開示されている。この止着構造によれば、フック部材１０７がループ部材１０８に対して垂直方向に離間するように動いても、ループ部材１０８から簡単には離脱することがない。
【特許文献１】特表２００２−５３２１４７号公報（段落００６３、図４）
【特許文献２】特開平９−１９１９０８号公報（段落００１０〜００１１、図４）
【発明の開示】
【発明が解決しようとする課題】
【０００５】
特許文献２の止着構造によれば、ベースシート１０５がその裏面に取付シート１２０に対する接合域１１４と非接合域１１５とを有するので、止着されたフック部材１０７とループ部材１０８を離脱させる方向に力Ｆが加わった場合、図５（ｃ）のように、接合域１１４および非接合域１１５との境界１２７から自由端１１３に至る間の取付シート１２０が変形することにより、フック部材１０７のめくれが抑制されると考えられる。
【０００６】
しかし、特許文献２の止着構造では、フック部材１０７を離脱させるとき、フック部材１０７とループ部材１０８間の止着強度がベースシート１０５の引裂き強度を上回った場合、非接合域１１５ではフック部材１０７とループ部材１０８が離脱せず、ベースシート１０５が接合域１１４と非接合域１１５の境界１２７に沿って引裂かれるおそれがある。
【０００７】
前記問題に鑑み、本発明は、フック部材とループ部材とを備える着用物品の止着構造において、フック部材のめくれが抑制され、かつ、フック部材をループ部材から離脱するときベースシートが引裂かれることが防止された止着構造を提供することを目的とする。
【課題を解決するための手段】
【０００８】
本発明は、前後胴周り域のいずれか一方の側縁に沿って設けられてフック部材が固着されるフック縁部と、前後胴周り域のいずれか他方の側縁に沿って設けられてループ部材を有するループ縁部とを備え、フック縁部とループ縁部とが着脱可能に止着される着用物品の止着構造を前提とする。
【０００９】
本発明の特徴は、フック縁部は、着用物品の側縁から延び出す第１シート部と、側縁に対向して延びる第１シート部の外端縁に連結され、側縁に向けて延び出す第２シート部と、外端縁に並行かつ離間して延びて第１・第２シート部を接合する接合域と、接合域、第１・第２シート部および外端縁で囲まれる非接合域と、を備え、フック部材は、外端縁に並行して延びる第１縁および第２縁を有し、第１縁が接合域上に位置し、第２縁が非接合域上に位置するようにして、第１シート部および第２シート部のいずれか一方に固着されていることにある。
【００１０】
本発明の好ましい実施態様では、第１シート部および第２シート部が一体のシート部材で構成され、シート部材が外端縁に沿って折り返されてフック縁部が形成されている。
【００１１】
別の好ましい態様では、第１シート部および第２シート部の少なくともいずれか一方の非接合域部分に、外端縁と平行な方向成分を含んで延びる少なくとも１本のスリットが形成されている。
【００１２】
また、別の好ましい態様では、フック部材は、熱可塑性樹脂からなるベースシートと、ベースシート表面から起立する多数のフックとからなり、第１・第２シート部は、熱可塑性樹脂からなる繊維を含むシート状の不織布で構成され、ベースシートおよび不織布は、いずれも一方向における引裂き強度が一方向に直交する方向における引裂き強度より低く、ベースシートの引裂き強度が低い一方向と、不織布の引裂き強度が低い一方向とが一致しないようにして、フック部材が第１・第２シート部のいずれか一方に固着されている。
さらに別の好ましい実施態様では、ベースシートに補強シートが接合されている。
【発明の効果】
【００１３】
この発明によれば、フック部材のベースシートが第１・第２シート部のいずれか一方に固着されることにより、第１・第２シート部を構成する不織布で補強された構造となっているので、フック部材をループ部材から離脱するとき、フック部材が引裂かれることが防止される。
【００１４】
また、非接合域を囲む第１・第２シート部は変形可能であるため、第１・第２シート部が連結される外端縁にフック部材を離脱させる方向に力が加わったとき、非接合域を囲む第１・第２シート部が変形してフック部材の縁を覆うことにより、フック部材のめくれが抑制される。
【００１５】
あるいは、フック部材を離脱させる力により非接合域を囲む第１・第２シート部が引きずられるようにして変形した場合、フック部材を離脱させる力はフック部材の第２縁に向かう成分と、非接合域と接合域の境界に向かう成分に分散されて弱められることにより、フック部材のめくれが抑制される。
【発明を実施するための最良の形態】
【００１６】
添付の図面を参照して、本発明に係る着用物品の止着構造１を、おむつ１０を例に説明する。
図１に斜視図で示すおむつ１０は、透液性表面シートＴＳと、不透液性裏面シートＢＳと、両者の間に介在する吸液性コア（図示せず）とからなり、前胴周り域２と、後胴周り域３と、これら両域２，３間に位置する股下域４とを含んでいる。また、おむつ１０の胴周り開口Ｗを形成する前胴周り域２と、後胴周り域３の上端縁４１に沿って胴周り弾性部材４２が伸長下に取付けられて延び、一対の脚周り開口Ｌを形成する前胴周り域２、後胴周り域３と股下域４の側縁部４３に脚周り弾性部材４４が伸長下に取付けられて延びている。さらに、前胴周り域２と後胴周り域３には、着用者に対するおむつ１０のフィット性を向上させるためのフィット弾性部材４５が胴周り方向に伸長下に取付けられて延びている。
【００１７】
おむつ１０の止着構造１は、前胴周り域２の両側縁２１に沿って設けられてフック部材７が固着されるフック縁部１７と、後胴周り域３の両側縁３１に沿って設けられ、ループ部材８を有するループ縁部１８とを含んで構成されている。
【００１８】
なお、フック部材７とループ部材８は、公知のメカニカルファスナの構成要素であり、互いに着脱可能に止着する。おむつ１０を着用するときは、ループ縁部１８をフック縁部１７に対して押し付け、おむつ１０を外すときは、ループ部材８を有するループ縁部１８の上端部２５を摘み、上端部２５からその反対側の下端部２６に向かって順次ループ部材８をフック部材７から離脱させる。
【００１９】
フック縁部１７は、側縁２１から延び出す一体のシート部材２０が、側縁２１に対向して延びる外端縁１３を折り返し線として側縁２１に向けて折り返され、このシート部材２０にフック部材７が、着用者から見てフックが外側を向くように取付けられて構成されている。
【００２０】
すなわち、側縁２１から延び出し外端縁１３までのシート部材２０が第１シート部１１に相当し、外端縁１３で折り返されて側縁２１に向かうシート部材２０の残余の部分が第２シート部１２に相当する。なお、シート部材２０は熱可塑性樹脂からなる繊維を含むシート状の不織布からなる。
【００２１】
さらに、図２に模式的に示すように、第１・第２シート部１１，１２は、外端縁１３に並行かつ離間して延びる接合域１４でホットメルト接着剤ＨＭにより互いに接合され、さらに、接合域１４、第１・第２シート部１１，１２および外端縁１３で囲まれる非接合域１５が形成されている。
【００２２】
フック部材７は、熱可塑性樹脂からなるベースシート５と、ベースシート表面から起立する多数のフック６とから構成され、ベースシート５は、側縁２１に並行して延びる第１縁１６と、第１縁１６に対向して延びる第２縁１９を有し、第１縁１６は接合域１４上に位置し、また、第２縁１９が非接合域１５上に位置するようにして、第１シート部１１にホットメルト接着剤ＨＭにより固着されている。
【００２３】
このように構成すれば、ベースシート５がホットメルト接着剤ＨＭと第１シート部１１の不織布で補強されるので、ループ部材８をフック部材７から離脱するとき、フック部材７が引裂かれることが防止される。このとき、不織布の引き裂き強度が、フック部材の引き裂き強度より大きいことが好ましい。また、ベースシート５に予め不織布やプラスチックフィルム等の補強シート（図示せず）を接合してから、フック縁部１７を構成する第１シート部１１に固着すれば、さらに有効にフック部材７が引裂かれることを防止できる。ホットメルト接着剤ＨＭはベースシート５のほぼ全面に塗布することが好ましい。
【００２４】
また、一般に熱可塑性樹脂からなるベースシート５は、押出し成形でシート加工するときの押出し方向の引き裂き強度が低い。このため、ベースシート５の押出し方向を、側縁２１の延在方向（ループ縁部の上端部２５から下端部２６に向かう方向）と平行な方向にすると、ループ部材８をフック部材７から離脱させるとき引き裂けやすくなるという問題が生じる。
【００２５】
一方、不織布で構成されるシート部材２０も同様に、成形時の加工方向の引き裂き強度が低い場合がある。このようなとき、ベースシート５の引裂き強度が低い方向と、シート部材２０の引裂き強度が低い方向とが一致しないようにすれば、シート部材２０によるベースシートの補強効果が高まり、ベースシート５が引裂かれることをより有効に抑制できるので好ましい。
【００２６】
フック部材７には、引裂き強度が０．３〜３．０Ｎ、好ましくは０．５〜１．２Ｎのものを用いる。フック部材７の引裂き強度が０．３Ｎ未満では強度が不足し、使用時および加工時に不具合が出るおそれがある。３．０Ｎを超えるとフック部材７のベースシート５が固くなり、使用時の違和感を増大させる。
また、シート部材２０の不織布には、引裂き強度３．５〜２５Ｎ、好ましくは５．０〜１７Ｎのものを用いる。３．５Ｎ未満では強度が不足し、補強材としての役割を果たせず、２５Ｎを超えると不織布の剛性が高くなり、使用時の違和感を増大させる。
【００２７】
引裂き強度の測定は次のようにして行なう。
まず、測定しようとするフック部材７のベースシート５、または不織布の成形時の加工方向を縦方向、これに直交する方向を幅方向として、縦５０ｍｍ、幅３０ｍｍのサンプルを作製する。次に、サンプルの幅方向を２等分する点を起点として、カッターで縦方向に２０ｍｍのスリットを入れる。そして、サンプルをスリット部で二股に振り分け、それぞれのつかみしろを約１５ｍｍとして引っ張り試験機に取り付け、チャック間距離１０ｍｍ、引っ張り速度３００ｍｍ／分で引っ張り、破断に至るまでの最大荷重を求め、その値を引裂き強度とする。
【００２８】
フック部材７のフックを着用者から見て外に向くようにした場合、図２に示すように、フック縁部１７の外端縁１３はおむつ１０の内側に位置し、着用者の肌に接触しやすい。このため、着用者が体をひねったとき、あるいは着用者が指をおむつ１０と体の間に入れ、胴周り方向に指を摺動させる動作をしたとき、外端縁１３に、フック部材７をループ部材８から離脱させる方向の力が加わることがある。
【００２９】
本発明の止着構造１によれば、フック部材７をループ部材８から離脱させる方向の力が加わったときでも、誤ってフック部材がめくれたり離脱したりすることが抑制される。以下、図３（ａ）〜（ｃ）を参照して説明する。図３（ａ）は外端縁１３にフック部材７をループ部材８から離脱させる方向の力Ｆが加わる前の状態、図３（ｂ）、図３（ｃ）は力Ｆが加わったときの状態を表わす模式図である。
【００３０】
図３（ａ）に示すように、シート部材２０の外端縁１３からベースシート５の第２縁１９までの部分、および外端縁１３から非接合域１５と接合域１４の境界２７までの部分は、他の部材に接合されておらず、外力を受けたとき変形可能である。以下、この変形可能な部分を可変部３０と呼ぶ。
【００３１】
着用者の動作により外端縁１３にフック部材７を離脱させる方向の力Ｆが加わった場合、図３（ａ）に示すように、外端縁１３がフック部材７のベースシート５の第２縁１９より外側に延出しているため、外端縁１３が力Ｆに押されて可変部３０が変形しはじめ、図３（ｂ）のように、可変部３０はフック部材７のベースシート５の第２縁１９を覆うように変形する。
さらに力Ｆが加わると、シート部材２０の可変部３０は、第２縁１９を覆いながらずれ動くことにより、フック部材７のめくれや離脱が生じることが抑制される。この際、力Ｆはフック部材７をループ部材８に押し付ける方向にも作用する。
【００３２】
可変部３０がフック部材７を離脱させる方向の力Ｆにより引きずられるようにして変形して、図３（ｃ）に示すようになった場合、力Ｆはフック部材７の第２縁１９に向かう成分ｆ１と、非接合域１５と接合域１４の境界２７に向かう成分ｆ２とに分散される。すなわち、外端縁１３に加わる力が弱められることになり、フック部材７のめくれや離脱が生じることが抑制される。
【００３３】
図４は、止着構造１の変形例を表わす模式図である。この変形例では、フック部材７が固着されている側のシート部材２０である第１シート部の非接合域１５の部分に、複数のスリット２２が、外端縁１３に対して斜め方向に向くようにして形成されている。
【００３４】
この構成によれば、可変部３０がフック部材７を離脱させる方向の力Ｆにより引きずられるようにして変形した場合、スリット２２が形成されている部分の第１シート部が引き伸ばされることにより、フック部材７の第２縁１９に向かう力の成分がより弱められる結果、フック部材７のめくれや離脱が生じることが抑制される。
なお、おむつ１０の胴周り弾性部材４２、フィット弾性部材４５等は、ループ部材８の下の部分では伸縮性が発現しないように加工することが好ましい。この加工は、ループ部材８の下のフィット弾性部材４５等を切断、ホットメルト接着剤により被覆、あるいは薬品処理等をすることにより行なうことができる。この加工により、ループ部材８に皺が生じてフック部材７との接合力が低下することを防止できる。
【００３５】
以上、実施形態に基づき止着構造について説明したが、本発明はこれらに限定されず、種々変更して実施することができる。例えば、フック部材７を着用者から見て外側ではなく、着用物品の内側に向けたることもできる。この場合には、フック部材７がめくれて着用者の外側の衣類、寝具等を傷つけることを防止できる。
【００３６】
あるいは、フック縁部１７を、一体のシート部材に代えて２枚のシートを外端縁１３で接合して連結する構成とすることができる。実施形態のように一体のシート部材を折り返す構成にした場合、可変部３０は接合された部分が無いため、より柔軟に変形することができる。また、第１・第２シート部１１，１２の接合やフック部材７の固着を、ホットメルト接着剤ＨＭに代えて、ヒートシール、ソニックシール等の熱溶着や、その他の公知手段で行なうこともできる。さらに、ループ部材８を、メカニカルファスナのループに代えて、フック部材と接合可能な不織布にすることもできる。
【図面の簡単な説明】
【００３７】
【図１】おむつの斜視図。
【図２】止着構造の模式図。
【図３】図３（ａ）は外端縁に力が加わる前の状態、図３（ｂ）、図３（ｃ）は力が加わったときの状態を表わす模式図。
【図４】止着構造の変形例を表す模式図。
【図５】図５（ａ），（ｂ）は特許文献１を説明する図、図５（ｃ）は特許文献２を説明する図。
【符号の説明】
【００３８】
１      止着構造
２      前胴周り域
３      後胴周り域
５      ベースシート
６      フック
７      フック部材
８      ループ部材
１０    おむつ（着用物品）
１１    第１シート部
１２    第２シート部
１３    外端縁
１４    接合域
１５    非接合域
１６    第１縁
１７    フック縁部
１８    ループ縁部
１９    第２縁
２０    シート部材
２１    前胴周り域の側縁
２２    スリット
３１    後胴周り域の側縁
【図１】
2008012114.tif 000003
【図２】
2008012114.tif 000004
【図３】
2008012114.tif 000005
【図４】
2008012114.tif 000006
【図５】
2008012114.tif 000007